(57)【要約】【課題】回転シリンダの面と確実に接触させるとともに、形状を簡素化することが可能な導通部材を備えた磁気記録再生装置を提供する。  【解決手段】シャーシ２０と、シャーシ２０に取り付けられた回転シリンダ２１と、樹脂製の第１ローディングポスト支持部３２と、シャーシ２０の下方に配置されたプリント基板１０と、プリント基板１０に取り付けられるとともに、回転シリンダ２１と電気的導通をとるための導通部材１１とを備えた磁気記録再生装置において、導通部材１１は、脚部１１ａと、回転シリンダ２１の面に接触する１つの接触部１１ｄを有する押圧部１１ｃとを含むとともに、板バネにより形成され、第１ローディングポスト支持部３２には、導通部材１１の押圧部１１ｃを回転シリンダ２１の面に対して押圧するための押さえ部３３が設けられており、押さえ部３３は、平坦部３３ａと、テーパ形状部３３ｂとを有する。【選択図】図８
2005092996.tif 000002
【特許請求の範囲】
【請求項１】
シャーシと、前記シャーシに取り付けられた回転シリンダと、前記シャーシに移動可能に取り付けられ、前記回転シリンダの外周面に磁気テープを巻き付けてローディングするためのローディングポストを支持する樹脂製のローディングポスト支持部と、前記シャーシの下方に配置されたプリント基板と、前記プリント基板に取り付けられるとともに、前記回転シリンダと電気的導通をとるための導通部材とを備えた磁気記録再生装置において、
前記導通部材は、前記プリント基板に取り付けられ、平面的に見て屈曲した部分を有する脚部と、前記脚部と一体的に形成され、前記回転シリンダの前記プリント基板と対向する面に接触する凸状の１つの接触部を有する板状の押圧部とを含むとともに、板バネにより形成され、
前記樹脂製のローディングポスト支持部には、前記シャーシの前記プリント基板と対向する側に、前記導通部材の前記押圧部を前記回転シリンダの面に対して押圧するための樹脂製の押さえ部が一体的に設けられており、
前記押さえ部は、前記ローディングポストがローディング位置にある場合に、前記導通部材の前記押圧部を前記回転シリンダ側に押さえるように構成された平坦部と、前記平坦部と連続するとともに、前記ローディングポストのローディング時の移動方向側に設けられたテーパ形状部とを有する、磁気記録再生装置。
【請求項２】
シャーシと、
前記シャーシに取り付けられた回転シリンダと、
プリント基板と、
前記プリント基板側に配置され、前記回転シリンダと電気的導通をとるための導通部材と、
前記シャーシに取り付けられ、前記回転シリンダの外周面に前記磁気テープを巻き付けてローディングするためのローディングポストを支持するとともに、前記導通部材の一部を前記回転シリンダの前記プリント基板に対向する面に対して押圧するための押さえ部を含むローディングポスト支持部とを備えた、磁気記録再生装置。
【請求項３】
前記導通部材は、前記回転シリンダの前記プリント基板に対向する面に接触させるための接触部を有する押圧部を含む、請求項２に記載の磁気記録再生装置。
【請求項４】
前記導通部材は、板バネにより形成されている、請求項２または３に記載の磁気記録再生装置。
【請求項５】
前記ローディングポスト支持部および前記押さえ部は、樹脂材料により一体的に形成されている、請求項２〜４のいずれか１項に記載の磁気記録再生装置。
【請求項６】
前記ローディングポスト支持部の前記押さえ部は、前記ローディングポストがローディング位置にある場合に、前記導通部材の一部を押さえるように構成された平坦部と、前記平坦部と連続するとともに、前記ローディングポストのローディング時の移動方向側に設けられたテーパ形状部とを有する、請求項２〜５のいずれか１項に記載の磁気記録再生装置。
【発明の詳細な説明】
【技術分野】
【０００１】
本発明は、磁気記録再生装置に関し、特に、回転シリンダの外周面に磁気テープを巻き付けてローディングするためのローディングポストを備えた磁気記録再生装置に関する。
【背景技術】
【０００２】
従来、回転シリンダの外周面に磁気テープを巻き付けてローディングするためのローディングポストを備えた磁気記録再生装置が知られている。その中で、回転シリンダに設けられた磁気ヘッドに外部から電磁ノイズが侵入するのを防止する手段を備えた磁気記録再生装置も知られている（たとえば、特許文献１参照）。
【０００３】
上記特許文献１には、磁気テープの情報を読み取る磁気ヘッドが取り付けられた回転シリンダと、ローディングポストと、ローディング完了時に、回転シリンダの磁気ヘッド側の外周面を遮断するように配置される外部からの電磁ノイズを遮断するための電磁遮断シールド板とを備えた磁気記録再生装置が開示されている。この特許文献１に開示された構造では、回転シリンダ側にローディングポストを近接させるとともに、回転シリンダの磁気ヘッド側の外周面に磁気テープを巻き付けてローディングする一方、回転シリンダ側からローディングポストを遠ざけてアンローディングするローディング手段を備えている。そして、磁気テープのローディングまたはアンローディングの際には、磁気テープの移動を妨げないように、電磁遮断シールド板を磁気テープの移動経路より退避させる構造となっている。
【０００４】
しかしながら、上記特許文献１では、シャーシや、シャーシに取り付けられる回転シリンダの接地構造（接地部材）については、開示されていない。シャーシや回転シリンダの接地が不十分であると、電磁遮断シールド板を備えていても、磁気ヘッドへの外部からの電磁ノイズの侵入の抑制は、不十分なものとなる。そこで、従来、磁気ヘッドへの外部からの電磁ノイズの侵入を抑制するための接地構造（接地部材）を備えた種々の磁気記録再生装置が提案されている。以下、本願明細書では、磁気ヘッドへの外部からの電磁ノイズの侵入を抑制するための接地構造を備えた磁気記録再生装置の一例を例にとって説明する。
【０００５】
図９は、従来の一例による磁気記録再生装置を示した斜視図である。図１０は、図９に示した従来の一例による磁気記録再生装置の内部構造を示した斜視図である。図１１は、図１０に示した従来の一例による磁気記録再生装置のプリント基板を示した斜視図である。図１２は、図１１に示したプリント基板に取り付けられた導通部材（接地部材）を示した斜視図である。図１３は、従来の一例による磁気記録再生装置のシャーシの下面図である。図１４は、従来の一例による磁気記録再生装置のアンローディング状態を示したシャーシの下面図である。まず、図９〜図１４を参照して、従来の一例による磁気記録再生装置の構造について説明する。
【０００６】
従来の一例による磁気記録再生装置１００は、図９に示すような外観を有している。この磁気記録再生装置１００は、図１０および図１３に示すように、プリント基板１１０と、回転シリンダ１２１が取り付けられたシャーシ１２０と、第１ローディングポスト部１３０と、第２ローディングポスト部１４０と、ローディング機構部１５０とを備えている。プリント基板１１０には、図１１に示すように、板バネからなる導通部材１１１とシャーシ支持部１１２とが取り付けられている。導通部材１１１は、シャーシ１２０に取り付けられた回転シリンダ１２１に対応するプリント基板１１０の位置に取り付けられている。この導通部材１１１は、回転シリンダ１２１と電気的導通をとるために設けられている
。また、導通部材１１１は、図１２に示すように、脚部１１１ａと、取付部１１１ｂと、接触部１１１ｃとを有している。脚部１１１ａは、プリント基板１１０に対し平面的に見てコの字状に形成されている。また、取付部１１１ｂは、コの字状に形成された脚部１１１ａのプリント基板１１０と対向する側の各辺に、脚部１１１ａから突出するように設けられている。この取付部１１１ｂをプリント基板１１０の差込孔（図示せず）に差し込んではんだ付けすることにより、導通部材１１１がプリント基板１１０に固定されている。また、接触部１１１ｃは、コの字状に形成された脚部１１１ａのシャーシ１２０と対向する側の辺に複数個（８個）設けられている。この接触部１１１ｃの先端は、図１４に示すように、シャーシ１２０に取り付けられた回転シリンダ１２１のプリント基板１１０と対向する側の面と接触するように脚部１１１ａから延びている。
【０００７】
また、シャーシ支持部１１２は、図１０および図１１に示すように、プリント基板１１０に複数個設けられている。このシャーシ支持部１１２は、シャーシ１２０を支持するために設けられている。このシャーシ支持部１１２によって、シャーシ支持部１１２にプリント基板１１０を取り付けた際、プリント基板１１０とシャーシ１２０の下面との間に隙間が生じるように構成される。シャーシ１２０に取り付けられた回転シリンダ１２１は、磁気テープ（図示せず）が巻き付けられた状態で回転するとともに、回転シリンダ１２１に設けられた磁気ヘッド（図示せず）により磁気テープ（図示せず）の情報が読み取られる。また、シャーシ１２０の回転シリンダ１２１の両側には、第１ガイド穴１２２ａおよび第２ガイド穴１２２ｂが設けられている。
【０００８】
また、第１ガイド穴１２２ａおよび第２ガイド穴１２２ｂには、図１４に示すように、第１ローディングポスト部１３０および第２ローディングポスト部１４０がガイド穴に沿って移動可能に設けられている。この第１ローディングポスト部１３０および第２ローディングポスト部１４０は、磁気テープ（図示せず）をローディングする際には、回転シリンダ１２１の外周面に磁気テープ（図示せず）を巻き付けるように移動し、アンローディングする際には、回転シリンダ１２１から離れるように移動する。
【０００９】
また、第１ローディングポスト部１３０は、図１０および図１３に示すように、第１ローディングポスト１３１と、第１ローディングポスト１３１を支持するための第１ローディングポスト支持部１３２とから構成されている。また、第２ローディングポスト部１４０は、第２ローディングポスト１４１と、第２ローディングポスト１４１を支持するための第２ローディングポスト支持部１４２とから構成されている。第１ローディングポスト１３１および第２ローディングポスト１４１は、磁気テープ（図示せず）を引っ掛けて移動させるために設けられている。
【００１０】
また、ローディング機構部１５０は、磁気テープ（図示せず）のローディングまたはアンローディングの際に、第１ローディングポスト部１３０および第２ローディングポスト部１４０を移動させる機能を有する。このローディング機構部１５０は、図１３に示すように、第１リンクアーム１５１ａおよび第２リンクアーム１５１ｂと、第１ローディングアーム１５２ａおよび第２ローディングアーム１５２ｂと、第１アームギア１５３と、動力伝達アーム１５４と、第２アームギア１５５と、ウォームギア部１５６と、動力伝達ベルト１５７と、ローディングモータ１５８とから構成されている。
【００１１】
第１ローディングアーム１５２ａおよび第２ローディングアーム１５２ｂは、それぞれ、図１４に示すように、第１リンクアーム１５１ａおよび第２リンクアーム１５１ｂを介して、第１ローディングポスト部１３０および第２ローディングポスト部１４０に回動可能に取り付けられている。この第１ローディングアーム１５２ａおよび第２ローディングアーム１５２ｂは、互いに噛み合ったギアを有しており、第１ローディングアーム１５２ａが回動すると、第２ローディングアーム１５２ｂは、逆の方向に回動するように構成さ
れている。また、第１ローディングアーム１５２ａには、第１ローディングアーム１５２ａを回動させるための第１アームギア１５３が噛み合わされている。第１アームギア１５３には、第１アームギア１５３を回転させるための動力伝達アーム１５４が噛み合わされている。この動力伝達アーム１５４は、板状に形成されるとともに、長手方向に直線状に移動可能に構成されている。また、動力伝達アーム１５４には、長手方向の両端付近に、それぞれ別のギアと噛み合う歯が辺に沿って設けられている。動力伝達アーム１５４の長手方向の両端付近に設けられた歯のうち、第１アームギア１５３と噛み合った歯と別の歯には、動力伝達アーム１５４を長手方向に移動させるための第２アームギア１５５が噛み合わされている。また、第２アームギア１５５には、第２アームギア１５５を回転させるためのウォームギア部１５６が噛み合わされている。また、ウォームギア部１５６のプーリ部１５６ａには、ウォームギア部１５６を回転させるための動力伝達ベルト１５７が取り付けられている。この動力伝達ベルト１５７は、ローディングモータ１５８の回転駆動により駆動されるように構成されている。
【００１２】
図１５は、図１４に示した従来の一例による磁気記録再生装置の動作説明をするための下面図である。次に、図１４および図１５を参照して、従来の一例による磁気記録再生装置の動作について説明する。
【００１３】
従来の一例による磁気記録再生装置のローディングの際の動作としては、まず、カセット（図示せず）が磁気記録再生装置１００の内部に挿入されると、ローディングモータ１５８が所定の方向に回転することにより、動力伝達ベルト１５７は、図１４中の矢印Ａ方向に駆動される。動力伝達ベルト１５７の駆動力は、プーリ部１５６ａを介してウォームギア部１５６に伝達され、第２アームギア１５５が図１４中の矢印Ｃ方向に回転される。そして、第２アームギア１５５が図１４中の矢印Ｃ方向に回転されることにより、動力伝達アーム１５４は、図１４中の矢印Ｅ方向に移動される。そして、動力伝達アーム１５４が図１４中の矢印Ｅ方向に移動されることにより、第１アームギア１５３が図１４中の矢印Ｇ方向に回転される。そして、第１アームギア１５３が図１４中の矢印Ｇ方向に回転されることにより、第１ローディングアーム１５２ａおよび第２ローディングアーム１５２ｂが図１４中の矢印Ｉ方向に回動される。そして、第１ローディングアーム１５２ａおよび第２ローディングアーム１５２ｂが図１４中の矢印Ｉ方向に回動されることにより、第１リンクアーム１５１ａおよび第２リンクアーム１５１ｂを介して第１ローディングポスト部１３０および第２ローディングポスト部１４０が図１４中の矢印Ｋ方向に移動される。そして、第１ローディングポスト部１３０および第２ローディングポスト部１４０の第１ローディングポスト１３１および第２ローディングポスト１４１がシャーシ１２０の第１ガイド穴１２２ａおよび第２ガイド穴１２２ｂに沿って終端に移動する。この第１ローディングポスト１３１および第２ローディングポスト１４１の移動により、カセット（図示せず）の磁気テープ（図示せず）が回転シリンダ１２１に巻き付けられる。
【００１４】
また、従来の一例による磁気記録再生装置のアンローディングの際の動作としては、まず、ローディングモータ１５８がローディング時とは逆方向に回転することにより、動力伝達ベルト１５７は、図１５中の矢印Ｂ方向に方向に駆動される。動力伝達ベルト１５７の駆動力は、ウォームギア部１５６に伝達され、第２アームギア１５５が図１５中の矢印Ｄ方向に回転される。そして、第２アームギア１５５が図１５中の矢印Ｄ方向に回転されることにより、動力伝達アーム１５４は、図１５中の矢印Ｆ方向に移動される。そして、動力伝達アーム１５４が図１５中の矢印Ｆ方向に移動されることにより、第１アームギア１５３が図１５中の矢印Ｈ方向に回転される。そして、第１アームギア１５３が図１５中の矢印Ｈ方向に回転されることにより、第１ローディングアーム１５２ａおよび第２ローディングアーム１５２ｂが図１５中の矢印Ｊ方向に回動される。そして、第１ローディングアーム１５２ａおよび第２ローディングアーム１５２ｂが図１５中の矢印Ｊ方向に回動されることにより、第１リンクアーム１５１ａおよび第２リンクアーム１５１ｂを介して
第１ローディングポスト部１３０および第２ローディングポスト部１４０が図１５中の矢印Ｌ方向に移動される。そして、第１ローディングポスト部１３０および第２ローディングポスト部１４０の第１ローディングポスト１３１および第２ローディングポスト１４１がシャーシ１２０の第１ガイド穴１２２ａおよび第２ガイド穴１２２ｂに沿って始端に移動する。そして、図１４の状態になることによりアンローディングが完了する。
【特許文献１】特開２０００−２４２９９６号公報
【発明の開示】
【発明が解決しようとする課題】
【００１５】
図１４に示した従来の一例による磁気記録再生装置１００では、プリント基板１１０に取り付けられた導通部材１１１の接触部１１１ｃは、板バネの弾性力のみによって、回転シリンダ１２１の面に接触していた。そのため、導通部材１１１が取り付けられたプリント基板１１０と、回転シリンダ１２１が取り付けられたシャーシ１２０とを組み付ける際の位置ずれや、導通部材１１１の変形により、導通部材１１１と回転シリンダ１２１との接触が不安定になるという不都合があった。これにより、従来の一例による磁気記録再生装置１００では、導通部材１１１と回転シリンダ１２１との安定した接触点を得るために、導通部材１１１の接触部１１１ｃの数を増加させる必要があるという不都合があった。そのため、従来の一例による磁気記録再生装置１００では、導通部材１１１の形状が複雑な形状になり、その結果、導通部材１１１の製造コストが増加するという問題点があった。
【００１６】
この発明は、上記のような課題を解決するためになされたものであり、回転シリンダの面と確実に接触させるとともに、形状を簡素化することが可能な導通部材を備えた磁気記録再生装置を提供することを目的とする。  
【課題を解決するための手段及び発明の効果】
【００１７】
上記目的を達成するために、この発明の第１の局面における磁気記録再生装置では、シャーシと、シャーシに取り付けられた回転シリンダと、シャーシに移動可能に取り付けられ、回転シリンダの外周面に磁気テープを巻き付けてローディングするためのローディングポストを支持する樹脂製のローディングポスト支持部と、シャーシの下方に配置されたプリント基板と、プリント基板に取り付けられるとともに、回転シリンダと電気的導通をとるための導通部材とを備えた磁気記録再生装置において、導通部材は、プリント基板に取り付けられ、平面的に見て屈曲した部分を有する脚部と、脚部と一体的に形成され、回転シリンダのプリント基板と対向する面に接触する凸状の１つの接触部を有する板状の押圧部とを含むとともに、板バネにより形成され、樹脂製のローディングポスト支持部には、シャーシのプリント基板と対向する側に、導通部材の押圧部を回転シリンダの面に対して押圧するための樹脂製の押さえ部が一体的に設けられており、押さえ部は、ローディングポストがローディング位置にある場合に、導通部材の押圧部を回転シリンダ側に押さえるように構成された平坦部と、平坦部と連続するとともに、ローディングポストのローディング時の移動方向側に設けられたテーパ形状部とを有する。
【００１８】
この発明の第１の局面による磁気記録再生装置では、上記のように、ローディングポスト支持部に、導通部材の一部を回転シリンダのプリント基板に対向する面に対して押圧するための押さえ部を設けることによって、導通部材をローディングポスト支持部の押さえ部により回転シリンダの面と確実に接触させることができる。これにより、導通部材と回転シリンダとの安定した接触点を得るために、導通部材の接触部の数を増加させる必要がなくなるので、その分、導通部材の形状を簡素化することができる。その結果、導通部材の製造コストを削減することができる。また、導通部材に、回転シリンダのプリント基板に対向する面に接触させるための凸状の１つの接触部を有する板状の押圧部を設けることによって、この押圧部を押さえ部により押圧して、導通部材を回転シリンダの面とより確
実に接触させることができる。また、ローディングポスト支持部に、押さえ部を一体的に設けることによって、磁気記録再生装置の構造が複雑化することもない。また、ローディングポスト支持部を、樹脂材料により形成することによって、ローディングポスト支持部を形成する際に、容易に押さえ部も一体的に形成することができる。
【００１９】
また、第１の局面では、導通部材を、板バネにより形成することによって、ローディングポストをアンローディング位置からローディング位置に移動させる際に、ローディングポスト支持部と導通部材との微小な相対的位置ずれを板バネの弾性力により容易に吸収することができる。これにより、ローディングポストをアンローディング位置とローディング位置との間で繰り返し移動させて、ローディングポスト部と導通部材との間に相対的位置ずれが生じた場合にも、導通部材を回転シリンダの面に対し、適度な押圧力で接触させることができる。
【００２０】
また、第１の局面では、ローディングポスト支持部の押さえ部を、ローディングポストがローディング位置にある場合、導通部材の押圧部を押さえるように構成された平坦部と、平坦部と連続するとともに、ローディングポストのローディング時の移動方向側に設けられたテーパ形状部とを有するように構成することによって、容易にテーパ形状部の形状に沿って、押圧部を押さえ部の平坦部に誘導させることができる。これにより、ローディングの際のローディングポストの移動を妨げることなく、確実に導通部材を回転シリンダの面に対して接触させることができる。
【００２１】
この発明の第２の局面における磁気記録再生装置では、シャーシと、シャーシに取り付けられた回転シリンダと、プリント基板と、プリント基板側に配置され、回転シリンダと電気的導通をとるための導通部材と、シャーシに取り付けられ、回転シリンダの外周面に磁気テープを巻き付けてローディングするためのローディングポストを支持するとともに、導通部材の一部を回転シリンダのプリント基板に対向する面に対して押圧するための押さえ部を含むローディングポスト支持部とを備える。
【００２２】
この発明の第２の局面による磁気記録再生装置では、上記のように、ローディングポスト支持部に、導通部材の一部を回転シリンダのプリント基板に対向する面に対して押圧するための押さえ部を設けることによって、導通部材をローディングポスト支持部の押さえ部により回転シリンダの面と確実に接触させることができる。これにより、導通部材と回転シリンダとの安定した接触点を得るために、導通部材の接触部の数を増加させる必要がなくなるので、その分、導通部材の形状を簡素化することができる。その結果、導通部材の製造コストを削減することができる。また、ローディングポスト支持部に、押さえ部を設けることによって、磁気記録再生装置の構造が複雑化することもない。
【００２３】
上記第２の局面による磁気記録再生装置において、好ましくは、導通部材は、回転シリンダのプリント基板に対向する面に接触させるための接触部を有する押圧部を含む。このように構成すれば、この押圧部を押さえ部により押圧して、導通部材を回転シリンダの面とより確実に接触させることができる。
【００２４】
上記第２の局面による磁気記録再生装置において、好ましくは、導通部材は、板バネにより形成されている。このように構成すれば、ローディングポストをアンローディング位置からローディング位置に移動させる際に、ローディングポスト支持部と導通部材との相対的位置ずれを板バネの弾性力により容易に吸収することができる。これにより、ローディングポストをアンローディング位置とローディング位置との間で繰り返し移動させて、ローディングポスト部と導通部材との間に相対的位置ずれが生じた場合にも、導通部材を回転シリンダの面に対し、適度な押圧力で接触させることができる。
【００２５】
上記第２の局面による磁気記録再生装置において、好ましくは、ローディングポスト支持部および押さえ部は、樹脂材料により形成されている。このように構成すれば、樹脂成形により、ローディングポスト支持部を形成する際に、容易に押さえ部も一体的に形成することができる。
【００２６】
上記第２の局面による磁気記録再生装置において、好ましくは、ローディングポスト支持部の押さえ部は、ローディングポストがローディング位置にある場合に、導通部材の一部を押さえるように構成された平坦部と、平坦部と連続するとともに、ローディングポストのローディング時の移動方向側に設けられたテーパ形状部とを有する。このように構成すれば、容易にテーパ形状部の形状に沿って、押圧部を押さえ部の平坦部に誘導させることができる。これにより、ローディングの際のローディングポストの移動を妨げることなく、確実に導通部材を回転シリンダの面に対して接触させることができる。
【発明を実施するための最良の形態】
【００２７】
以下、本発明の実施の形態を図面に基づいて説明する。
【００２８】
図１は、本発明の一実施形態による磁気記録再生装置の内部構造を示した斜視図である。図２は、図１に示した磁気記録再生装置のプリント基板を示した斜視図である。図３は、図２に示したプリント基板に取り付けられた導通部材を示した斜視図である。図４は、図１に示した磁気記録再生装置のアンローディング状態を示したシャーシの下面図である。図５は、ローディング位置とアンローディング位置との中間状態を示した下面図であり、図６は、図５の部分拡大斜視図である。まず、図１〜図６を参照して、本実施形態による磁気記録再生装置の構造について説明する。
【００２９】
本実施形態による磁気記録再生装置は、図１および図４に示すように、プリント基板１０と、回転シリンダ２１が取り付けられたシャーシ２０と、第１ローディングポスト部３０と、第２ローディングポスト部４０と、ローディング機構部５０とを備えている。プリント基板１０には、図２に示すように、導通部材１１とシャーシ支持部１２とが取り付けられている。
【００３０】
ここで、本実施形態では、導通部材１１は、シャーシ２０に取り付けられた回転シリンダ２１に対応するプリント基板１０の位置に取り付けられている。この導通部材１１は、板バネにより形成されている。また、導通部材１１は、回転シリンダ２１と電気的導通をとるために設けられている。また、導通部材１１は、図３に示すように、脚部１１ａと、取付部１１ｂと、板状の押圧部１１ｃと、凸状の接触部１１ｄとを含んでいる。脚部１１ａは、プリント基板１０に取り付けられ、平面的に見てＬ字状に屈曲した部分を有している。また、取付部１１ｂは、Ｌ字状に形成された脚部１１ａのプリント基板１０と対向する側の各辺に、脚部１１ａから突出するように設けられている。この取付部１１ｂをプリント基板１０の差込孔（図示せず）に差し込んではんだ付けすることにより、導通部材１１がプリント基板１０に固定されている。また、板状の押圧部１１ｃは、シャーシ２０と対向する側の脚部１１ａと一体的に形成されている。また、接触部１１ｄは、図６に示すように、板状の押圧部１１ｃから凸状に突出するように１つ設けられている。この接触部１１ｄは、回転シリンダ２１のプリント基板１０と対向する面に接触している。
【００３１】
また、シャーシ支持部１２は、図１および図２に示すように、プリント基板１０に複数個設けられている。このシャーシ支持部１２は、シャーシ２０を支持するために設けられている。このシャーシ支持部１２によって、シャーシ支持部１２にプリント基板１０を取り付けた際、プリント基板１０とシャーシ２０の下面との間に隙間が生じるように構成される。シャーシ２０に取り付けられた回転シリンダ２１は、磁気テープ（図示せず）が巻き付けられた状態で回転するとともに、回転シリンダ２１に設けられた磁気ヘッド（図示
せず）により磁気テープ（図示せず）の情報が読み取られる。また、シャーシ２０の回転シリンダ２１の両側には、第１ガイド穴２２ａおよび第２ガイド穴２２ｂが設けられている。
【００３２】
また、第１ガイド穴２２ａおよび第２ガイド穴２２ｂには、図１および図４に示すように、第１ローディングポスト部３０および第２ローディングポスト部４０がガイド穴に沿って移動可能に設けられている。この第１ローディングポスト部３０および第２ローディングポスト部４０は、磁気テープ（図示せず）をローディングする際には、回転シリンダ２１の外周面に磁気テープ（図示せず）を巻き付けるように移動し、アンローディングする際には、回転シリンダ２１から離れるように移動する。
【００３３】
ここで、本実施形態では、第１ローディングポスト部３０は、図１および図５に示すように、第１ローディングポスト３１と、第１ローディングポスト３１を支持するための樹脂製の第１ローディングポスト支持部３２と、第１ローディングポスト支持部３２と一体的に設けられた樹脂製の押さえ部３３とを含んでいる。なお、第１ローディングポスト３１は、本発明の「ローディングポスト」の一例であり、樹脂製の第１ローディングポスト支持部３２は、本発明の「ローディングポスト支持部」の一例である。第１ローディングポスト３１は、磁気テープ（図示せず）を引っ掛けて移動させるために設けられている。また、押さえ部３３は、図６に示すように、第１ローディングポスト支持部３２のプリント基板１０と対向する側に、一体的に設けられている。この押さえ部３３は、導通部材１１の押圧部１１ｃを回転シリンダ２１の面に対して押圧するために設けられている。また、押さえ部３３は、平坦部３３ａと、テーパ形状部３３ｂとを有する。平坦部３３ａは、第１ローディングポスト３１がローディング位置にある場合に、導通部材１１の押圧部１１ｃを押さえるように構成されている。また、テーパ形状部３３ｂは、平坦部３３ａと連続するとともに、第１ローディングポスト３１のローディング時の移動方向側に設けられている。
【００３４】
また、第２ローディングポスト部４０は、図１に示すように、第２ローディングポスト４１と、第２ローディングポスト４１を支持するための樹脂製の第２ローディングポスト支持部４２とを含んでいる。なお、第２ローディングポスト４１は、本発明の「ローディングポスト」の一例であり、樹脂製の第２ローディングポスト支持部４２は、本発明の「ローディングポスト支持部」の一例である。第２ローディングポスト４１は、磁気テープ（図示せず）を引っ掛けて移動させるために設けられている。
【００３５】
また、ローディング機構部５０は、図４に示すように、磁気テープ（図示せず）のローディングまたはアンローディングの際に、第１ローディングポスト部３０および第２ローディングポスト部４０を移動させる機能を有する。このローディング機構部５０は、第１リンクアーム５１ａおよび第２リンクアーム５１ｂと、第１ローディングアーム５２ａおよび第２ローディングアーム５２ｂと、第１アームギア５３と、動力伝達アーム５４と、第２アームギア５５と、ウォームギア部５６と、動力伝達ベルト５７と、ローディングモータ５８とから構成されている。
【００３６】
第１ローディングアーム５２ａおよび第２ローディングアーム５２ｂは、それぞれ、第１リンクアーム５１ａおよび第２リンクアーム５１ｂを介して、第１ローディングポスト部３０および第２ローディングポスト部４０に回動可能に取り付けられている。この第１ローディングアーム５２ａおよび第２ローディングアーム５２ｂは、互いに噛み合ったギアを有しており、第１ローディングアーム５２ａが回転すると、第２ローディングアーム５２ｂは、逆の方向に回転するように構成されている。また、第１ローディングアーム５２ａには、第１ローディングアーム５２ａを回転させるための第１アームギア５３が噛み合わされている。第１アームギア５３には、第１アームギア５３を回転させるための動力
伝達アーム５４が噛み合わされている。この動力伝達アーム５４は、板状に形成されるとともに、長手方向に直線状に移動可能に構成されている。また、動力伝達アーム５４には、長手方向の両端付近に、それぞれ別のギアと噛み合う歯が辺に沿って設けられている。動力伝達アーム５４の長手方向の両端付近に設けられた歯のうち、第１アームギア５３と噛み合った歯と別の歯には、動力伝達アーム５４を長手方向に移動させるための第２アームギア５５が噛み合わされている。また、第２アームギア５５には、第２アームギア５５を回転させるためのウォームギア部５６が噛み合わされている。また、ウォームギア部５６のプーリ部５６ａには、ウォームギア部５６を回転させるための動力伝達ベルト５７が取り付けられている。この動力伝達ベルト５７は、ローディングモータ５８による回転駆動により駆動されるように構成されている。
【００３７】
図７は、図１に示した本発明の一実施形態による磁気記録再生装置のローディングポストをローディング位置に移動させた状態を示した下面図である。図８は図７の部分拡大斜視図である。次に、図４〜図８を参照して、本発明の一実施形態による磁気記録再生装置の動作について説明する。
【００３８】
本実施形態による磁気記録再生装置のローディングの際の動作としては、まず、カセット（図示せず）が磁気記録再生装置の内部に挿入されると、ローディングモータ５８が所定の方向に回転することにより、動力伝達ベルト５７は、図４中の矢印Ａ方向に回転される。動力伝達ベルト５７の駆動力は、プーリ部５６ａを介してウォームギア部５６に伝達され、第２アームギア５５が図４中の矢印Ｃ方向に回転される。そして、第２アームギア５５が図４中の矢印Ｃ方向に回転されることにより、動力伝達アーム５４は、図４中の矢印Ｅ方向に移動される。そして、動力伝達アーム５４が図４中の矢印Ｅ方向に移動されることにより、第１アームギア５３が図４中の矢印Ｇ方向に回転される。そして、第１アームギア５３が図４中の矢印Ｇ方向に回転されることにより、第１ローディングアーム５２ａおよび第２ローディングアーム５２ｂが図４中の矢印Ｉ方向に回動される。そして、第１ローディングアーム５２ａおよび第２ローディングアーム５２ｂが図４中の矢印Ｉ方向に回動されることにより、第１リンクアーム５１ａおよび第２リンクアーム５１ｂを介して第１ローディングポスト部３０および第２ローディングポスト部４０が図４中の矢印Ｋ方向に移動される。
【００３９】
また、この際、第１ローディングポスト部３０の押さえ部３３も図４中の矢印Ｋ方向に移動される。そして、図５および図６に示した状態から、さらに、押さえ部３３が移動すると、押さえ部３３のテーパ形状部３３ｂが導通部材１１の押圧部１１ｃに当接する。そして、導通部材１１の押圧部１１ｃは、押さえ部３３のテーパ形状部３３ｂの形状に沿って移動し、押さえ部３３の平坦部３３ａに誘導される。そして、第１ローディングポスト部３０および第２ローディングポスト部４０の第１ローディングポスト３１および第２ローディングポスト４１がシャーシ２０の第１ガイド穴２２ａおよび第２ガイド穴２２ｂの終端に移動してローディングが完了した状態では、図７および図８に示すように、押さえ部３３の平坦部３３ａにより導通部材１１の押圧部１１ｃが押圧されることによって、導通部材１１の接触部１１ｄが回転シリンダ２１の面に対して適度な押圧力で接触する。
また、本実施形態による磁気記録再生装置のアンローディングの際の動作としては、まず、ローディングモータ５８がローディング時とは逆方向に回転することにより、動力伝達ベルト５７は、図７中の矢印Ｂ方向に回転される。動力伝達ベルト５７の駆動力は、ウォームギア部５６に伝達され、第２アームギア５５が図７中の矢印Ｄ方向に回転される。そして、第２アームギア５５が図７中の矢印Ｄ方向に回転されることにより、動力伝達アーム５４は、図７中の矢印Ｆ方向に移動される。そして、動力伝達アーム５４が図７中の矢印Ｆ方向に移動されることにより、第１アームギア５３が図７中の矢印Ｈ方向に回転される。そして、第１アームギア５３が図７中の矢印Ｈ方向に回転されることにより、第１ローディングアーム５２ａおよび第２ローディングアーム５２ｂが図７中の矢印Ｊ方向に回
動される。そして、第１ローディングアーム５２ａおよび第２ローディングアーム５２ｂが図７中の矢印Ｊ方向に回動されることにより、第１リンクアーム５１ａおよび第２リンクアーム５１ｂを介して第１ローディングポスト部３０および第２ローディングポスト部４０が図７中の矢印Ｌ方向に移動される。この第１ローディングポスト部３０および第２ローディングポスト部４０の図７中の矢印Ｌ方向への移動によって、押さえ部３３による導通部材１１の押圧部１１ｃに対する押圧が解除される。そして、第１ローディングポスト部３０および第２ローディングポスト部４０の第１ローディングポスト３１および第２ローディングポスト４１がシャーシ２０の第１ガイド穴２２ａおよび第２ガイド穴２２ｂに沿って始端に移動する。そして、図４の状態になることによりアンローディングが完了する。
【００４０】
本実施形態では、上記のように、第１ローディングポスト支持部３２に、導通部材１１の一部を回転シリンダ２１のプリント基板１０に対向する面に対して押圧するための押さえ部３３を設けることによって、導通部材１１を第１ローディングポスト部３０の押さえ部３３により回転シリンダ２１の面と確実に接触させることができる。これにより、導通部材１１と回転シリンダ２１との安定した接触点を得るために、導通部材１１の接触部１１ｄの数を増加させる必要がなくなるので、その分、導通部材１１の形状を簡素化することができる。その結果、導通部材１１の製造コストを削減することができる。
【００４１】
また、本実施形態では、導通部材１１に、回転シリンダ２１のプリント基板１０に対向する面に接触させるための凸状の１つの接触部１１ｄを有する板状の押圧部１１ｃを設けることによって、この押圧部１１ｃを押さえ部３３により押圧して、導通部材１１を回転シリンダ２１の面とより確実に接触させることができる。
【００４２】
また、本実施形態では、第１ローディングポスト支持部３２を、樹脂材料により形成することによって、第１ローディングポスト支持部３２を形成する際に、容易に押さえ部３３も一体的に形成することができる。
【００４３】
また、本実施形態では、樹脂製の第１ローディングポスト支持部３２に、押さえ部３３を一体的に設けることによって、磁気記録再生装置の構造が複雑化することもない。
【００４４】
また、本実施形態では、導通部材１１を、板バネにより形成することによって、第１ローディングポスト３１をアンローディング位置からローディング位置に移動させる際に、第１ローディングポスト支持部３２と導通部材１１との相対的位置ずれを板バネの弾性力により容易に吸収することができる。これにより、第１ローディングポスト３１をアンローディング位置とローディング位置との間で繰り返し移動させて、第１ローディングポスト部３０と導通部材１１との間に相対的位置ずれが生じた場合にも、導通部材１１を回転シリンダ２１の面に対し、適度な押圧力で接触させることができる。
【００４５】
また、本実施形態では、第１ローディングポスト支持部３２の押さえ部３３を、第１ローディングポスト３１がローディング位置にある場合、導通部材１１の押圧部１１ｃを押さえるように構成された平坦部３３ａと、平坦部３３ａと連続するとともに、第１ローディングポスト３１のローディング時の移動方向側に設けられたテーパ形状部３３ｂとを有するように構成することによって、容易にテーパ形状部３３ｂの形状に沿って、押圧部１１ｃを押さえ部３３の平坦部３３ａに誘導させることができる。これにより、ローディングの際の第１ローディングポスト３１の移動を妨げることなく、確実に導通部材１１を回転シリンダ２１の面に対して接触させることができる。
【００４６】
なお、今回開示された実施形態は、すべての点で例示であって制限的なものではないと考えられるべきである。本発明の範囲は、上記した実施形態の説明ではなく特許請求の範
囲によって示され、さらに特許請求の範囲と均等の意味および範囲内でのすべての変更が含まれる。
【００４７】
たとえば、上記実施形態では、導通部材１１の押圧部１１ｃに、回転シリンダ２１のプリント基板１０と対向する面に接触する接触部１１ｄを１つ設けたが、本発明はこれに限らず、導通部材に接触部を複数設けてもよい。
【００４８】
また、上記実施形態では、第１ローディングポスト支持部３２の押さえ部３３を、平坦部３３ａと、テーパ形状部３３ｂとを有するように形成したが、本発明はこれに限らず、押さえ部を他の形状に形成してもよい。
【図面の簡単な説明】
【００４９】
【図１】本発明の一実施形態による磁気記録再生装置の内部構造を示した斜視図である。
【図２】図１に示した本発明の一実施形態による磁気記録再生装置のプリント基板を示した斜視図である。
【図３】図２に示したプリント基板に取り付けられた導通部材を示した斜視図である。
【図４】図１に示した本発明の一実施形態による磁気記録再生装置のアンローディング状態を示したシャーシの下面図である。
【図５】図４に示した状態から、ローディングポストをローディング位置とアンローディング位置との中間位置に移動させた状態を示した下面図である。
【図６】図５の部分拡大斜視図である。
【図７】図４に示した状態から、ローディングポストをローディング位置に移動させた状態を示した下面図である。
【図８】図７の部分拡大斜視図である。
【図９】従来の一例による磁気記録再生装置を示した斜視図である。
【図１０】図９に示した従来の一例による磁気記録再生装置の内部構造を示した斜視図である。
【図１１】図１０に示した従来の一例による磁気記録再生装置のプリント基板を示した斜視図である。
【図１２】図１１に示したプリント基板に取り付けられた導通部材を示した斜視図である。
【図１３】従来の一例による磁気記録再生装置のシャーシの下面図である。
【図１４】従来の一例による磁気記録再生装置のアンローディング状態を示したシャーシの下面図である。
【図１５】図１４に示した状態から、ローディングポストをローディング位置に移動させた状態を示した下面図である。
【符号の説明】
【００５０】
１０  プリント基板
１１  導通部材
１１ｃ  押圧部
１１ｄ  接触部
２０  シャーシ
２１  回転シリンダ
３１  第１ローディングポスト
３２  第１ローディングポスト支持部
３３  押さえ部
３３ａ  平坦部
３３ｂ  テーパ形状部
４１  第２ローディングポスト
４２  第２ローディングポスト支持部
【図１】
2005092996.tif 000003
【図２】
2005092996.tif 000004
【図３】
2005092996.tif 000005
【図４】
2005092996.tif 000006
【図５】
2005092996.tif 000007
【図６】
2005092996.tif 000008
【図７】
2005092996.tif 000009
【図８】
2005092996.tif 000010
【図９】
2005092996.tif 000011
【図１０】
2005092996.tif 000012
【図１１】
2005092996.tif 000013
【図１２】
2005092996.tif 000014
【図１３】
2005092996.tif 000015
【図１４】
2005092996.tif 000016
【図１５】
2005092996.tif 000017